(57)【特許請求の範囲】
【請求項１】
型枠にインサートを取り付ける取付用治具を打設されたコンクリートの硬化後に取り外す際、締緩工具の一端部の頭部に立設された差込部に装着されるソケットであって、
前記締緩工具の差込部が差し込まれる差込口と、前記取付用治具に形成された被係合部に係合する係合部と、を備え、
前記差込口内には、前記装着時に前記差込部に設けられた嵌入部材が着脱自在に嵌入する環状凹部が形成されている
ことを特徴とする締緩工具用ソケット。
【請求項２】
前記取付用治具は、前記インサートの雌ねじ穴に締結される雄ねじ部と、前記インサートを型枠に取り付ける頭部と、該両部間のフランジ部と、該フランジ部に形成された前記被係合部と、を備える一方、
前記頭部を収容する収容口をさらに備えることを特徴とする請求項１記載の締緩工具用ソケット。
【請求項３】
前記係合部が、前記収容口の開口端部に設けられていることを特徴とする請求項２記載の締緩工具用ソケット。
【請求項４】
前記被係合部は、係合孔部として形成されている一方、
前記係合部は、前記係合孔部に嵌入可能な係合突起として形成されている
ことを特徴とする請求項２記載の締緩工具用ソケット。
【請求項５】
前記係合孔部は、前記フランジ部に複数個が等間隔に形成されている一方、
前記係合突起は、前記各係合孔部に応じた位置にそれぞれ形成されている
ことを特徴とする請求項４記載の締緩工具用ソケット。
【発明の詳細な説明】
【技術分野】
【０００１】
本発明は、締緩工具に装着されるソケットに関し、特にコンクリート構造物にインサートを埋設する作業の一環として、型枠にインサートを取り付ける取付用治具をコンクリート硬化後に取り外す際に使用される。
【背景技術】
【０００２】
周知のようにコンクリート構造物、例えばトンネルやボックスカルバートのコンクリート壁・天井などにはセラミック製のインサートが埋設され、該インサートに所望の被固定部材が締結されている。
【０００３】
図９に基づき概略を説明すれば、インサート１は雌ねじ孔２を有するインサート本体３と、雌ねじ孔２に連通する連通孔４ａ，４ｂが軸方向に形成されたスリーブ５ａ，５ｂとを備え、プラスチックホルダ（取付用治具）８により型枠６に着脱自在に取り付けられている。
【０００４】
このプラスチックホルダ８は、一端部に形成された雄ねじ部９と、他端部に形成されたストッパー１０と、を備える。このストッパー１０は、弾性変形可能な一対のストッパー片１０ａと、最先端１０ｂに形成されたプラスチックホルダ８の抜脱用のナット穴１０ｃと、を備えている。このナット穴１０ｃは、横断面六角形状の六角穴に形成され、図示省略の六角レンチの端部が嵌入可能となっている。
【０００５】
そして、インサート１の埋設時には、雄ねじ部９を連通孔４ａ，４ｂに通して雌ねじ孔２に螺入させた後に頭部１０を取付孔７に挿通する。その後に型枠６内にコンクリートを打設し、コンクリート硬化後にナット穴１０ｃに前記六角レンチの端部を嵌入させる。この状態のまま前記六角レンチを回転させて両者２，９の締結を緩め、プラスチックホルダ８を取り外す。
【先行技術文献】
【特許文献】
【０００６】
【特許文献１】特開２００３−２７５９７
【発明の概要】
【発明が解決しようとする課題】
【０００７】
確かに特許文献１によれば、ナット穴１０ｃに前記六角レンチの端部を嵌入させて回転させれば、プラスチックホルダ８を取り外すことは可能である。
【０００８】
しかしながら、プラスチックホルダ８を取り出す際にナット穴１０ｃを滑めてしまう事態が想定される。この場合、ナット穴１０ｃの六角の部分が削られて変形するため、その後はプラスチックホルダ８の取り外しができないおそれがある。
【０００９】
本発明は、このような問題を解決するためになされ、インサートから取付用治具を確実に取外し可能な工具の提供を解決課題としている。
【課題を解決するための手段】
【００１０】
本発明は、型枠にインサートを取り付ける取付用治具を打設されたコンクリートの硬化後に取り外す際、緩締工具に装着されるソケットであって、前記締緩工具の差込部が差し込まれる差込口と、前記取付用治具に形成された被係合部に係合する係合部と、を備えることを特徴としている。
【００１１】
例えば前記取付用治具は、前記インサートの雌ねじ穴に締結される雄ねじ部と、前記インサートを型枠に取り付ける頭部と、該両部間のフランジ部と、該フランジ部に形成された前記被係合部と、を備える。このとき締緩工具用ソケットは、前記頭部を収容する収容口をさらに備える。なお、前記係合部は、前記収容口の開口端部に設けることが好ましい。
【００１２】
前記被係合部および前記係合部の一態様としては、前記被係合部を係合孔部として形成する一方、前記係合部を前記係合孔部に嵌入可能な係合突起として形成することができる。この場合に複数の前記係合孔部を前記フランジ部に形成し、前記開口端部の前記各係合孔部に応じた位置に前記係合突起をそれぞれ形成することが好ましい。
【発明の効果】
【００１３】
本発明によれば、打設されたコンクリート硬化後にインサートから取付用治具を確実に取り外すことができる。
【図面の簡単な説明】
【００１４】
【図１】本発明の実施形態に係る締緩工具用ソケットの側面図。
【図２】（ａ）は図１のＡ−Ａ断面図、（ｂ）は同Ｂ−Ｂ断面図。
【図３】（ａ）は図１のソケットの上方斜視図、（ｂ）は同ソケットの下方斜視図。
【図４】同  ソケットとソケットレンチのハンドルとを示す分解斜視図。
【図５】取付用治具を介して型枠にインサートを取り付けた状態の縦断面図。
【図６】（ａ）（ｂ）は木枠の取付孔に取付用治具の頭部を挿通する作業工程を示す部分破断側面図、（ｃ）は木枠の内側から固定ピンをハンマーで打ちこんで取付用治具の頭部を木枠に固定する作業工程を示す部分破断側面図、（ｄ）は取付用治具の雄ねじ部をインサートに螺入させる作業工程を示す部分破断側面図、（ｅ）はコンクリート打設後の状態を示す部分破断側面図、（ｆ）は木枠の外側から固定ピンをハンマーで打ちこんで木枠と取付用治具との固定を解除する作業工程を示す部分破断側面図、（ｇ）は木枠を取り外す作業工程を示す部分破断側面図、（ｈ）はソケットレンチに取り付けられた専用ソケットを取付用治具に接続する作業工程を示す部分破断側面図、（ｉ）は（ｈ）の作業工程後に取付用治具とインサートとの締結を緩める作業工程を示す部分破断側面図、（ｊ）は取付用治具をインサートから取り外す作業工程を示す部分破断側面図。
【図７】（ａ）は他の取付用治具の側面図、（ｂ）は（ａ）のＣ−Ｃ断面図、（ｃ）は（ａ）の正面図。
【図８】（ａ）（ｂ）は板金枠の取付孔に取付用治具の頭部を挿通する作業工程を示す部分破断側面図、（ｃ）は板金枠の内側から固定ピンをハンマーで打ちこんで取付用治具の頭部を板金枠に固定する作業工程を示す部分破断側面図、（ｄ）は取付用治具の雄ねじ部をインサートに螺入させる作業工程を示す部分破断側面図、（ｅ）はコンクリート打設後の状態を示す部分破断側面図、（ｆ）は板金枠の外側から固定ピンをハンマーで打ちこんで板金枠と取付用治具との固定を解除する作業工程を示す部分破断側面図、（ｇ）は板金枠を取り外す作業工程を示す部分破断側面図、（ｈ）はソケットレンチに取り付けられた締緩工具用ソケットを取付用治具に接続する作業工程を示す部分破断側面図、（ｉ）は（ｈ）の作業工程後に取付用治具とインサートとの締結を緩める作業工程を示す部分破断側面図、（ｊ）は取付用治具をインサートから取り外す作業工程を示す部分破断側面図。
【図９】特許文献１のインサートの縦断面図。
【発明を実施するための形態】
【００１５】
以下、本発明の実施形態に係る締緩工具用ソケットを説明する。この締緩工具用ソケットは、コンクリート構造物にインサートを埋設する作業に用いられ、型枠にインサートを取り付ける取付用治具を打設されたコンクリートの硬化後に取り外す際、締緩工具に装着される。
【００１６】
≪取付用治具≫
まず、図５に基づき前記締緩工具用ソケットを用いて取り外される取付用治具を説明する。この取付用治具１１は、インサート１２をコンクリート構造物に埋設する際、木製の型枠１３（以下、木枠１３とする。）にインサート１２を着脱自在に取り付けている。
【００１７】
このインサート１２は、雌ねじ穴１５が形成されたインサート本体１４と、雌ねじ穴１５に連通する連通孔１６が軸方向に沿って形成された管状のスリーブ１７と、スリーブ１７の開口端部に接着された環状のシール部（例えばゴムシールなど）１９とを有している。また、木枠１３には、インサート１２の取付用の取付孔１８が貫通形成されている。
【００１８】
具体的には取付用治具１１は、樹脂製あるいは金属製であり、インサート１２を木枠１３に取り付ける略筒状の治具本体２０と、該治具本体２０の軸方向の内部に形成された貫通孔２４に摺動自在に挿通された一本状の固定ピン２１とを備え、該固定ピン２１の一端部２１ａは円弧状に形成されている。
【００１９】
治具本体２０は、取付孔１８に挿通される頭部２２と、該頭部２２と一体形成された軸部２３と、を備えている。この軸部２３は、雌ねじ穴１５に締結される雄ねじ部２３ａと、該雄ねじ部２３ａの頭部２２側に形成された胴部２３ｂと、該胴部２３ｂの頭部２２との境界外周に形成されて木枠１３に内接する円環状のフランジ部２７と、を備えている。
【００２０】
この頭部２２はスリット２５（図６参照）により４分割された分割部２６を備えている一方、フランジ部２７には複数の係合孔部３０が等間隔に配置されている。この各係合孔部３０は、それぞれ円形状の貫通孔として形成されている。なお、図５中では省略されてるものの、各分割部２６の外周には取付孔１８の内周面に係合可能な係合歯群が形成されているものとする。
【００２１】
≪締緩工具用ソケットの構成≫
つぎに図１〜図４に基づき前記締緩工具用ソケットの構成例を説明する。ここでは締緩工具の一例として、図４に示すラチェット式のソケットレンチ５０を使用するものとする。このソケットレンチ５０は、ハンドル５１ａの一端部に設けられた頭部５１ｂと、該頭部５１ｂに設けられ四角柱状の差込角（差込部）５２と、該差込角５２の両側面に配置されたソケット支持用のボール５３とを備えている。このボール５３は、図示省略のスプリングに付勢され、また頭部５１ｂには図示省略のラチェット機構が設けられているものとする。なお、ソケットレンチ５０は汎用の市販品でよいものとする。
【００２２】
具体的には締緩工具用ソケット３１は、金属製あるいは樹脂製であって、図１および図２に示すように、円筒状に形成されたソケット本体３１ａと、ソケット本体３１ａの一端部側に形成された収容口３３ａと、ソケット本体３１ａの他端部側に形成された差込口３３ｂとを備え、両者３３ａ，３３ｂは連通されている。
【００２３】
収容口３３ａは、図２（ａ）および図３（ａ）に示すように、頭部２２を収容可能な円柱空間に形成され、開口部が円形状を呈している。この収容口３３ａの開口端部には、取付用治具１１の係合孔部３０に嵌入して係合する横断面円形状の係合突起３４が形成されている。ここでは係合孔部３０と同じ個数の係合突起３４が係合孔部３０と同じ間隔で配置されており、締緩工具用ソケット３１は取付用治具１１の取外し用の専用工具として提供される。
【００２４】
差込口３３ｂは、図２（ｂ）および図３（ｂ）に示すように、差込角５２を差し込み可能な四角柱状の空間に形成され、開口部が正方形状を呈している。この差込口３３ｂの軸方向中央の内面には、図２（ａ）に示すように、差込角５２を差し込んだときにボール５３が着脱自在に嵌入する環状凹部３３ｃが形成されている。
【００２５】
≪取付用治具の取外し作業≫
図６に基づき締緩工具用ソケット３１を用いた取付用治具１１の取外し方法を説明する。この取付用治具１１の取外し方法は、例えば橋の橋脚などコンクリート構造物にインサート１２を埋設する作業の一環として実行される。
【００２６】
［インサートの取付作業］
前記取外し方法は、取付用治具１１を介して木枠１３にインサート１２を取り付けて打設されたコンクリートの硬化後に実行される。まず、図６（ａ）〜（ｇ）に基づきその実行状態に至るまでの作業工程を説明する。
【００２７】
（Ａ）木枠１３の内側から取付用治具１１を取付孔１８に差し込む。この作業に際しては、図６（ａ）に示すように、取付用治具１１の頭部２２を取付孔１８に対向させる。その後に図６（ｂ）の矢印Ｃに示すように、取付用治具１１の頭部２２を取付孔１８に差し込む。
【００２８】
（Ｂ）頭部２２を取付孔１８に差し込んだ状態のまま、図６（ｃ）の矢印Ｄに示すように、固定ピン２１の他端部２１ｂをハンマーなどで打ち込む。このとき固定ピン２１が矢印Ｐ方向に押し込まれ、その一端部２１ａが各分割部２６を開脚状に押し広げる。このとき各分割部２６の係合歯群が取付孔１８の内周面に圧接するため、係合歯群が取付孔１８の内周面に噛み付いて係合し、頭部２２が木枠１３に固定される。
【００２９】
（Ｃ）木枠１３に固定された取付用治具１１にインサート１２を取り付ける。この取付作業は、取付用治具１１の軸部２３をスリーブ１７の連通孔１６に挿通し、図６（ｄ）の矢印Ｅに示すように、インサート本体１４を回転させ、雄ねじ部２３ａを雌ねじ穴１５に螺入させて締結する。
【００３０】
（Ｄ）木枠１３の内側にコンクリート３２を流し込んで、図６（ｅ）に示すように、コンクリート打設する。このコンクリート３２の硬化後は、図６（ｆ）の矢印Ｆに示すように、木枠１３の外側から固定ピン２１の一端部２１ａをハンマーなどで打ち込んで、頭部２２と木枠１３との固定を解除する。この固定解除後は、図６（ｇ）に示すように、木枠１３を取り外す。
【００３１】
［取付用治具１１を取り外す作業工程］
つぎに図６（ｈ）〜（ｊ）に基づき図６（ｇ）の状態から取付用治具１１をインサート１２から取り外す作業工程を説明する。ここでは差込角５２を差込口３３に差し込んで締緩工具用ソケット３１をソケットレンチ５０に装着し、さらに締緩工具用ソケット３１と取付用治具１１とを接続する。
【００３２】
その際は、収容口３３ａを頭部２２と対向させるとともに、各係合突起３４を各係合孔部３０に対向させる。この対向状態のままソケットレンチを図６（ｈ）の矢印Ｈ方向に移動させれば、収容口３３ａ内に頭部２２が収容され、各係合突起３４が各係合孔部３０に嵌入する。
【００３３】
これにより係合孔部３０の内周に係合突起３４が係合し、両者１１，３１が接続される。ここで使用されるソケットレンチ５０は市販品でよいので、工事にあたって最小限の専用工具、即ち締緩工具用ソケット３１を購入するだけでよく、この点でコストの抑制に貢献できる。
【００３４】
この接続後にソケットレンチ５０を図６（ｉ）の矢印Ｉ方向に回転させ、雄ねじ部２３ａと雌ねじ穴１５との締結を緩める。これにより雄ねじ部２３ａが雌ねじ穴１５から螺出し、図６（ｊ）の矢印Ｊに示すように、取付用治具１１がインサート１２から抜脱され、インサート１２がコンクリート３２に埋設される。
【００３５】
このとき係合孔部３０および係合突起３４は、特許文献１のナット穴１０ｃのように滑めるおそれがなく、インサート１２から取付用治具１１を確実に取り外すことができ、この点で工事の作業性向上に貢献できる。
【００３６】
特に係合孔部３０と係合突起３４とは、それぞれ複数個が形成されているため、その一部が破損しても両者１１，３１を接続して回転させることができる。したがって、締緩工具用ソケット３１を利用すれば、係合孔部３０群の一部に破損があったとしても、取付用治具１１を再利用することが可能である。
【００３７】
なお、取付用治具１１の抜脱後は、インサート本体１４の雌ねじ穴１５に足場ボルトなどの所望の被固定部材が締結される。
【００３８】
≪他の使用例≫
本発明は、上記実施形態に限定されるものではなく、各請求項に記載された範囲内で変形して実施することができる。例えば締緩工具用ソケット３１は、図７の取付用治具４０の取外しにも使用することができる。
【００３９】
この取付用治具４０は、頭部２２の形状が取付用治具１１と相違するものの、固定ピン２１および軸部２３は取付用治具１１と同様に構成され、フランジ部２７には円形の各係合孔部３０が等間隔に貫通形成されている。
【００４０】
この取付用治具４０は、金属製の型枠１３ａ（以下、板金枠１３ａとする。）にインサートを取り付けるために使用され、打設したコンクリートの硬化後に取り外される。具体的には図８（ａ）〜（ｇ）の作業工程を経た後に取外しが実行されている。
【００４１】
この図８（ａ）（ｂ）は前記作業工程（Ａ）と同様な作業工程を示し、図８（ｃ）は前記作業工程（Ｂ）と同様な作業工程を示し、図８（ｄ）は前記作業工程（Ｃ）と同様な作業工程を示し、図８（ｅ）〜（ｇ）は前記作業工程（Ｄ）と同様な作業工程を示している（それぞれ木枠１３を金属製の型枠１３ａと読み替え、取付用治具１１を取付用治具４０と読み替え、分割部２６を分割部４１と読み替えればよい。）。
【００４２】
また、図８（ｈ）〜（ｊ）は、図６（ｈ）〜（ｊ）の取外し方法と同様な作業工程を示している。すなわち、図８（ｈ）に示すように、差込角５２を差込口３３ｂに差し込んで締緩工具用ソケット３１をソケットレンチ５０に装着する。
【００４３】
その後に収容口３３ａ内に頭部２２を収容させ、さらに係合突起３４を係合孔部３０に嵌入させて締緩工具用ソケット３１と取付用治具４０とを接続する。このとき取付用治具４０の係合孔部３０の間隔および大きさが取付用治具１１と同じであれば、取付用治具１１の取外し用の締緩工具用ソケット３１を用いることができる。
【００４４】
そして、両者３１，４０が接続された状態のままソケットレンチ５０を図８（ｉ）の矢印Ｉ方向に回転させて雄ねじ部２３ａを雌ねじ穴１５から螺出させる。これにより図８（ｊ）の矢印Ｊに示すように、取付用治具４０がインサート１２から抜脱され、インサート１２がコンクリート３２に埋設される。
【符号の説明】
【００４５】
１１，４０…取付用治具
１２…インサート
１３…木枠（型枠）
１３ａ…板金枠（型枠）
１５…雌ねじ穴
２２…頭部
２７…フランジ部
３０…係合孔部（被係合部）
３２…コンクリート
３１…締緩工具用ソケット
３１ａ…ソケット本体
３３ａ…収容口
３３ｂ…差込口
３３ｃ…環状凹部３３ｃ
３４…係合突起（係合部）
５０…締緩工具
５２…差込角（差込部）
【図１】
0006762086.tif 000002
【図２】
0006762086.tif 000003
【図３】
0006762086.tif 000004
【図４】
0006762086.tif 000005
【図５】
0006762086.tif 000006
【図６】
0006762086.tif 000007
【図７】
0006762086.tif 000008
【図８】
0006762086.tif 000009
【図９】
0006762086.tif 000010